(57)【要約】【課題】  屋根に生じる長い隙間をシール材によりシールをする場合に、十分なシールが得られるようにすると共に、シールをするためのシール作業が容易にできるようにする。【解決手段】  屋根本体２と、この屋根本体２の上面に葺かれる瓦群４，５とを備えた建物屋根１に生じる長い隙間８をシールするようこの隙間８に沿ってシール材９が延びている。シール材９は、屋根本体２側に固定される長尺の剛性部材２５と、帯形状をなしてその幅方向の一側部が剛性部材２５に取り付けられ、他側部が瓦群４，５の表面に沿うよう屈曲可能かつ伸延可能とされるシール材本体２８とを備える。【選択図】  図１
2006083567.tif 000002
【特許請求の範囲】
【請求項１】
屋根本体と、この屋根本体の上面に葺かれる瓦群とを備えた建物屋根に生じる長い隙間をシールするようこの隙間に沿って延びる屋根用シール材であって、
上記シール材が、上記屋根本体側に固定される長尺の剛性部材と、帯形状をなしてその幅方向の一側部が上記剛性部材に取り付けられ、他側部が上記瓦群の表面に沿うよう屈曲可能かつ伸延可能とされるシール材本体とを備えたことを特徴とする建物の屋根用シール材。
【請求項２】
上記シール材が、上記シール材本体の他側部に設けられ、この他側部を上記瓦群の表面に接着させる接着材を備えたことを特徴とする請求項１に記載の建物の屋根用シール材。
【請求項３】
上記シール材本体の他側部の表面に上記接着材を取り付けたことを特徴とする請求項２に記載の建物の屋根用シール材。
【請求項４】
上記シール材本体が、このシール材本体の表面側を構成する耐候シートと、上記シール材本体の裏面側を構成する防水シートと、上記耐候シートと防水シートとの間に挟まれて塑性変形可能な保形材とを備えたことを特徴とする請求項１から３のうちいずれか１つに記載の建物の屋根用シール材。
【請求項５】
上記剛性部材を帯形状の板金材で構成し、この板金材の表面に、上記シール材本体の一側部における上記耐候シートの縁部を取り付けたことを特徴とする請求項４に記載の建物の屋根用シール材。
【請求項６】
請求項１から５のうちいずれか１つに記載のシール材を用いた建物の屋根棟において、
上記屋根の棟中心を挟むように上記シール材を左右一対設け、これら左右シール材の間に上方に向かって開口する作業空間を形成したことを特徴とする建物の屋根棟。
【発明の詳細な説明】
【技術分野】
【０００１】
本発明は、建物の屋根棟における左右瓦群の間など、屋根に生じる長い隙間をシールする建物の屋根用シール材およびこのシール材を用いた建物の屋根棟に関するものである。
【背景技術】
【０００２】
上記建物の屋根用シール材およびこのシール材を用いた建物の屋根棟には、従来、下記特許文献１，２に示されるものがある。
【０００３】
上記特許文献１，２のものによれば、建物の屋根は棟であって、野地板などを備えた屋根本体と、この屋根本体の上面に葺かれる左右瓦群と、これら左右瓦群の間をその上方から覆う棟瓦と、上記各瓦群と棟瓦との間に生じる長い隙間をシールするようこの隙間に沿って延びる左右シール材とを備えている。
【０００４】
上記特許文献１におけるシール材はその幅方向の一端部（上端部）が板金材を介して屋根本体側に固定され、他端部（下端部）が上記瓦群の表面に接合されている。
【０００５】
一方、上記特許文献２におけるシール材は、その幅方向の一端部（上端部）が棟瓦の裏面に固定され、他端部（下端部）は波形状に形成されていて、この他端部の波形状の各部が瓦群の表面における凹凸部に嵌合させられると共に、この表面に接合させられている。
【０００６】
【特許文献１】特開平１０−１９６０５８号公報
【特許文献１】特開２００４−２４４７９９号公報
【発明の開示】
【発明が解決しようとする課題】
【０００７】
ところで、上記特許文献１のシール材は、幅寸法が小さいため、瓦群の表面の凹凸が大きい場合には、この凹凸の表面に対し上記シール材の他端部を沿わせることはできず、つまり、十分なシールを得ることは困難である。
【０００８】
一方、特許文献２のシール材によれば、その他端部は、予め、波形状に形成されている。このため、瓦群の表面の凹凸が大きくても、この表面に対し上記シール材の他端部を沿わせることができる。
【０００９】
しかし、上記瓦群の表面には種々の形状があるため、それぞれの瓦群の表面について、十分なシールを得るためには、これら表面の形状にそれぞれ合致するシール材を予め種々準備することが求められる。しかし、これでは、上記シール材を用いてのシール作業は極めて煩雑となる。
【課題を解決するための手段】
【００１０】
本発明は、上記のような事情に注目してなされたもので、本発明の目的は、屋根に生じる長い隙間をシール材によりシールをする場合に、十分なシールが得られるようにすると共に、上記シールをするためのシール作業が容易にできるようにすることである。
【００１１】
請求項１の発明は、屋根本体２と、この屋根本体２の上面に葺かれる瓦群４，５とを備えた建物屋根１に生じる長い隙間８をシールするようこの隙間８に沿って延びる屋根用シール材であって、
上記シール材９が、上記屋根本体２側に固定される長尺の剛性部材２５と、帯形状をなしてその幅方向の一側部２６が上記剛性部材２５に取り付けられ、他側部２７が上記瓦群４，５の表面に沿うよう屈曲可能かつ伸延可能とされるシール材本体２８とを備えたものである。
【００１２】
請求項２の発明は、請求項１の発明に加えて、上記シール材９が、上記シール材本体２８の他側部２７に設けられ、この他側部２７を上記瓦群４，５の表面に接着させる接着材２９を備えたものである。
【００１３】
請求項３の発明は、請求項２の発明に加えて、上記シール材本体２８の他側部２７の表面に上記接着材２９を取り付けたものである。
【００１４】
請求項４の発明は、請求項１から３のうちいずれか１つの発明に加えて、上記シール材本体２８が、このシール材本体２８の表面２８ａ側を構成する耐候シート３８と、上記シール材本体２８の裏面２８ｂ側を構成する防水シート３９と、上記耐候シート３８と防水シート３９との間に挟まれて塑性変形可能な保形材４０とを備えたものである。
【００１５】
請求項５の発明は、請求項４の発明に加えて、上記剛性部材２５を帯形状の板金材で構成し、この板金材の表面に、上記シール材本体２８の一側部２６における上記耐候シート３８の縁部を取り付けたものである。
【００１６】
請求項６の発明は、請求項１から５のうちいずれか１つに記載のシール材９を用いた建物の屋根棟において、
上記屋根１の棟中心３を挟むように上記シール材９を左右一対設け、これら左右シール材９，９の間に上方に向かって開口する作業空間３５を形成したものである。
【００１７】
なお、この項において、上記各用語に付記した符号は、本発明の技術的範囲を後述の「実施例」の項や図面の内容に限定解釈するものではない。
【発明の効果】
【００１８】
本発明による効果は、次の如くである。
【００１９】
請求項１の発明は、屋根本体と、この屋根本体の上面に葺かれる瓦群とを備えた建物屋根に生じる長い隙間をシールするようこの隙間に沿って延びる屋根用シール材であって、
上記シール材が、上記屋根本体側に固定される長尺の剛性部材と、帯形状をなしてその幅方向の一側部が上記剛性部材に取り付けられ、他側部が上記瓦群の表面に沿うよう屈曲可能かつ伸延可能とされるシール材本体とを備えている。
【００２０】
このため、上記瓦群の表面が凹凸を繰り返す波形状のように屈曲した形状である場合には、上記シール材本体の他側部を作業者からの外力により屈曲させ、かつ、伸延させて、この他側部を上記瓦群の表面に沿わせればよい。このようにすれば、上記隙間を上記シール材によりシールする場合に、十分なシールが得られる。
【００２１】
また、上記したように、シール材本体の他側部は屈曲、伸延が可能なため、瓦群の表面の種々の形状にそれぞれ合致するシール材本体を予め種々準備する必要はない。よって、その分、上記シールをするためのシール作業は容易にできる。
【００２２】
請求項２の発明は、上記シール材が、上記シール材本体の他側部に設けられ、この他側部を上記瓦群の表面に接着させる接着材を備えている。
【００２３】
このため、上記したように、シール材本体の他側部を上記瓦群の表面に沿わせたとき、上記シール材本体の他側部を上記接着材により瓦群の表面に接着させればよい。このようにすれば、上記隙間をシール材によりシールする場合に、より十分なシールが得られる。
【００２４】
請求項３の発明は、上記シール材本体の他側部の表面に上記接着材を取り付けている。
【００２５】
このため、上記したように、シール材本体の他側部を上記瓦群の表面に沿わせるとき、上記シール材本体の他側部の表面を山折れさせて、この他側部の端縁部を上記シール材の内側に収納させる。そして、この他側部の端縁部の表面を上記接着材により瓦群の表面に接着させればよい。このようにすると、上記隙間をシール材によりシールしたとき、上記シール材本体の他側部の端縁部が屋根の外観上で見えるということは防止される。
【００２６】
よって、上記シール材を設けた場合でも、上記屋根の見栄えは良好に保たれる。
【００２７】
請求項４の発明は、上記シール材本体が、このシール材本体の表面側を構成する耐候シートと、上記シール材本体の裏面側を構成する防水シートと、上記耐候シートと防水シートとの間に挟まれて塑性変形可能な保形材とを備えている。
【００２８】
このため、上記シール材のシール材本体は、その耐候性や防水性が上記耐候シートと防水シートとによって十分に確保されると共に、これら耐候シートと防水シートとにより保護された保形材によって、上記シール材が所定形状に長く保持される。
【００２９】
よって、上記シール材の寿命が向上して、屋根における隙間の上記シール材によるシール性が向上する。
【００３０】
請求項５の発明は、上記剛性部材を帯形状の板金材で構成し、この板金材の表面に、上記シール材本体の一側部における上記耐候シートの縁部を取り付けている。
【００３１】
このため、上記シール材を外観上、見たとき、このシール材の剛性部材とシール材本体とが個別に見えるということが防止され、上記シール材には視覚的に一体感が生じる。よって、上記シール材を設けた場合でも、上記屋根の見栄えは良好に保たれる。
【００３２】
請求項６の発明は、請求項１から５のうちいずれか１つに記載のシール材を用いた建物の屋根棟において、
上記屋根の棟中心を挟むように上記シール材を左右一対設け、これら左右シール材の間に上方に向かって開口する作業空間を形成している。
【００３３】
このため、上記シール材のシール材本体の他側部を屈曲させたり、伸延させたりする作業は、上記作業空間を通して、シール材のシール材本体の裏面側からもすることができる。つまり、上記シール材本体への作業は、作業者が両手を使うことにより、その表面側と裏面側とからシール材本体を挟むようにしてすることができる。よって、上記シールをするためのシール作業は、より容易にできる。
【発明を実施するための最良の形態】
【００３４】
本発明の建物の屋根用シール材およびこのシール材を用いた建物の屋根棟に関し、屋根に生じる長い隙間をシール材によりシールをする場合に、十分なシールが得られるようにすると共に、上記シールをするためのシール作業が容易にできるようにする、という目的を実現するため、本発明を実施するための最良の形態は、次の如くである。
【００３５】
即ち、屋根本体と、この屋根本体の上面に葺かれる瓦群とを備えた建物屋根に生じる長い隙間をシールするようこの隙間に沿って延びる屋根用シール材である。上記シール材は、上記屋根本体側に固定される長尺の剛性部材と、帯形状をなしてその幅方向の一側部が上記剛性部材に取り付けられ、他側部が上記瓦群の表面に沿うよう屈曲可能かつ伸延可能とされるシール材本体とを備えている。
【実施例１】
【００３６】
本発明をより詳細に説明するために、その実施例１を添付の図１−３に従って説明する。
【００３７】
図１−３において、符号１は建物の屋根で、より具体的には、棟１ａである。
【００３８】
上記棟１ａは、その基部を構成する屋根本体２と、上記屋根１の棟中心３を挟むように上記屋根本体２の上面に葺かれる左右瓦群４，５と、これら左右瓦群４，５の各対向縁部４ａ，５ａに跨るようこれら両対向縁部４ａ，５ａの間をその上方から覆う棟瓦群６と、上記左右瓦群４，５の各対向縁部４ａ，５ａの間に位置して、上記棟瓦群６を屋根本体２に支持する支持具７と、上記左右瓦群４，５の各対向縁部４ａ，５ａと棟瓦群６との間の長い隙間８をそれぞれシールするようこれら各隙間８に沿って延びる左右一対のシール材９，９とを備えている。
【００３９】
上記各瓦群４，５の表面は、上記棟１ａに沿う方向で、凹凸を繰り返す波形状とされている。また、上記左右シール材９，９は、上記棟中心３を基準としてほぼ左右対称位置に配置されている。また、これら左右シール材９，９は、左右の向きは逆であるが、原形は互いに同形同大である。
【００４０】
上記屋根本体２は、棟木１３と、この棟木１３に支持される垂木１４と、この垂木１４上に取り付けられる野地板１５と、この野地板１５の表面（上面）に敷設される防水性の屋根シート１６と、この屋根シート１６上に載置され、上記野地板１５に固定される桟木１７とを備えている。上記各瓦群４，５は、上記桟木１７に掛止され、上記野地板１５の表面に上記屋根シート１６を介して葺かれている。
【００４１】
上記支持具７は、上記棟中心３の近傍で、上記左右瓦群４，５の間に配置され、上記屋根本体２の野地板１５から上方に向かって突設される棟金具２０と、上記棟１ａに沿って延び上記棟金具２０の突出端部に支持される木製の棟下地材２１と、この棟下地材２１に上記棟瓦群６を固定する固定具２２とを備えている。
【００４２】
上記シール材９は、上記棟１ａに沿って延び屋根本体２側である上記棟下地材２１に固定具２４により固定される長尺の剛性部材２５と、帯形状をなしてその幅方向の一側部２６が上記剛性部材２５に取り付けられ、他側部２７が上記瓦群４，５の凹凸の上面に沿うよう屈曲可能かつ伸延可能とされるシール材本体２８と、このシール材本体２８の他側部２７の表面２８ａに取り付けられこの表面２８ａを上記瓦群４，５の対向縁部４ａ，５ａの表面に接着させる接着材２９と、この接着材２９の表面に取り外し可能に取り付けられるカバーテープ３０とを備えている。上記剛性部材２５は帯形状の板金材で構成されている。また、上記接着材２９は両面接着のブチル製テープである。
【００４３】
上記固定具２４は、上記棟下地材２１と交差するよう延びて、その長手方向の中途部がこの棟下地材２１の上面に締結具３２により固定される板金製のブラケット３３を備えている。このブラケット３３の各端部に形成された係止部３４に上記剛性部材２５の上縁部が係止されて、この剛性部材２５が上記屋根本体２側に着脱可能に固定される。
【００４４】
上記ブラケット３３は、上記棟１ａの長手方向で所定間隔をあけて複数配置されている。上記支持具７と左右シール材９，９との間、かつ、上記棟１ａの長手方向で隣り合うブラケット３３，３３の間には、上方に向かって開口する作業空間３５が形成されている。
【００４５】
特に、図３において、上記シール材本体２８は、このシール材本体２８の表面２８ａ側を構成する耐候シート３８と、上記シール材本体２８の裏面２８ｂ側を構成する防水シート３９と、上記耐候シート３８と防水シート３９との間に挟まれて作業者からの外力により塑性変形可能とされる保形材４０とを備えている。上記シール材本体２８を構成する上記耐候シート３８、防水シート３９、および保形材４０は互いに一体的となるよう接着材などにより互いに結合されている。上記剛性部材２５の表面に、上記シール材本体２８の一側部２６における上記耐候シート３８の縁部が接着材により取り付け（貼り付け）られている。
【００４６】
上記耐候シート３８は、黒色のＥＰＤＭ合成ゴムの発泡体製であるが、蛇腹のアルミ箔であってもよく、防水性を有していることが好ましい。また、上記防水シート３９は、ポリエチレンシート製である。また、上記保形材４０は、上記シール材９の補強用芯材として働くもので、金網製であるが、エキスパンドメタルであってもよい。
【００４７】
上記耐候シート３８、防水シート３９、および保形材４０の各部はいずれも作業者からの外力により屈曲可能かつ伸延可能である。これにより、上記シール材本体２８の各部は、上記のように屈曲可能かつ伸延可能とされている。そして、上記のようにシール材本体２８が屈曲、伸延された後は、上記保形材４０が、上記シール材本体２８をその形状のままに保形する。
【００４８】
上記構成によれば、シール材９が、上記屋根本体２側に固定される長尺の剛性部材２５と、帯形状をなしてその幅方向の一側部２６が上記剛性部材２５に取り付けられ、他側部２７が上記瓦群４，５の表面に沿うよう屈曲可能かつ伸延可能とされるシール材本体２８とを備えている。
【００４９】
このため、上記瓦群４，５の表面が凹凸を繰り返す波形状のように屈曲した形状である場合には、上記シール材本体２８の他側部２７を作業者からの外力により屈曲させ、かつ、伸延させて、この他側部２７を上記瓦群４，５の表面に沿わせればよい。このようにすれば、上記隙間８を上記シール材９によりシールする場合に、十分なシールが得られる。
【００５０】
また、上記したように、シール材本体２８の他側部２７は屈曲、伸延が可能なため、瓦群４，５の表面の種々の形状にそれぞれ合致するシール材本体２８を予め種々準備する必要はない。よって、その分、上記シールをするためのシール作業は容易にできる。
【００５１】
また、前記したように、シール材９が、上記シール材本体２８の他側部２７に設けられ、この他側部２７を上記瓦群４，５の表面に接着させる接着材２９を備えている。
【００５２】
このため、上記したように、シール材本体２８の他側部２７を上記瓦群４，５の表面に沿わせたとき、上記シール材本体２８の他側部２７を上記接着材２９により瓦群４，５の表面に接着させればよい。このようにすれば、上記隙間８をシール材９によりシールする場合に、より十分なシールが得られる。
【００５３】
また、前記したように、シール材本体２８の他側部２７の表面に上記接着材２９を取り付けている。
【００５４】
このため、上記したように、シール材本体２８の他側部２７を上記瓦群４，５の表面に沿わせるとき、上記シール材本体２８の他側部２７の表面を山折れさせて、この他側部２７の端縁部を上記シール材９の内側（棟中心３側）に収納させる。そして、この他側部２７の端縁部の表面を上記接着材２９により瓦群４，５の表面に接着させればよい。このようにすると、上記隙間８をシール材９によりシールしたとき、上記シール材本体２８の他側部２７の端縁部が屋根１の外観上で見えるということは防止される。
【００５５】
よって、上記シール材９を設けた場合でも、上記屋根１の見栄えは良好に保たれる。
【００５６】
また、前記したように、シール材本体２８が、このシール材本体２８の表面２８ａ側を構成する耐候シート３８と、上記シール材本体２８の裏面２８ｂ側を構成する防水シート３９と、上記耐候シート３８と防水シート３９との間に挟まれて塑性変形可能な保形材４０とを備えている。
【００５７】
このため、上記シール材９のシール材本体２８は、その耐候性や防水性が上記耐候シート３８と防水シート３９とによって十分に確保されると共に、これら耐候シート３８と防水シート３９とにより保護された保形材４０によって、上記シール材９が所定形状に長く保持される。
【００５８】
よって、上記シール材９の寿命が向上して、屋根１における隙間８の上記シール材９によるシール性が向上する。
【００５９】
また、前記したように、剛性部材２５を帯形状の板金材で構成し、この板金材の表面に、上記シール材本体２８の一側部２６における上記耐候シート３８の縁部を取り付けている。
【００６０】
このため、上記シール材９を外観上、見たとき、このシール材９の剛性部材２５とシール材本体２８とが個別に見えるということが防止され、上記シール材９には視覚的に一体感が生じる。よって、上記シール材９を設けた場合でも、上記屋根１の見栄えは良好に保たれる。
【００６１】
また、前記したように、屋根１の棟中心３を挟むように上記シール材９を左右一対設け、これら左右シール材９，９の間に上方に向かって開口する作業空間３５を形成している。
【００６２】
このため、上記シール材９のシール材本体２８の他側部２７を屈曲させたり、伸延させたりする作業は、上記作業空間３５を通して、シール材９のシール材本体２８の裏面２８ｂ側（棟中心３側）からもすることができる。つまり、上記シール材本体２８への作業は、作業者が両手を使うことにより、その表面２８ａ側と裏面２８ｂ側とからシール材本体２８を挟むようにしてすることができる。よって、上記シールをするためのシール作業は、より容易にできる。
【００６３】
なお、以上は図示の例によるが、上記瓦群４，５の表面は平坦形状であってもよい。
【００６４】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、この実施例における各部分の構成を、本発明の目的、作用効果に照らして種々組み合せてもよい。
【実施例２】
【００６５】
本発明をより詳細に説明するために、その実施例２を添付の図４に従って説明する。
【００６６】
図４において、上記屋根１の一側部に屋根本体２の一部を構成する壁４４が設けられている。この壁４４に突設され、瓦群４と壁４４との間を上方から覆う板金製の雨押え板４５が設けられている。上記壁４４に突設され、上記雨押え板４５を支持する板金製のブラケット４６が設けられている。
【００６７】
上記瓦群４の表面と雨押え板４５との間の隙間８をシールするシール材９が設けられている。このシール材９の剛性部材２５が上記ブラケット４６に形成された係止部３４に係止されて固定されている。上記壁４４とシール材９との間には、上方に向かって開口する作業空間３５が形成されている。
【図面の簡単な説明】
【００６８】
【図１】実施例１を示し、屋根の棟の縦断面図である。
【図２】実施例１を示し、屋根の部分斜視図である。
【図３】実施例１を示し、図１の部分拡大に相当する断面図である。
【図４】実施例２を示し、図２に相当する図である。
【符号の説明】
【００６９】
１    屋根
１ａ  棟
２    屋根本体
３    棟中心
４    瓦群
４ａ  対向縁部
５    瓦群
５ａ  対向縁部
６    棟瓦群
７    支持具
８    隙間
９    シール材
２５  剛性部材
２６  一側部
２７  他側部
２８  シール材本体
２８ａ  表面
２８ｂ  裏面
２９  接着材
３５  作業空間
３８  耐候シート
３９  防水シート
４０  保形材
【図１】
2006083567.tif 000003
【図２】
2006083567.tif 000004
【図３】
2006083567.tif 000005
【図４】
2006083567.tif 000006
【手続補正書】
【提出日】平成16年9月17日(2004.9.17)
【手続補正１】
【補正対象書類名】図面
【補正対象項目名】全図
【補正方法】変更
【補正の内容】
【図１】
2006083567.tif 000007
【図２】
2006083567.tif 000008
【図３】
2006083567.tif 000009
【図４】
2006083567.tif 000010